(57)【要約】      （修正有）【課題】底部にナーリングを備えたガラス製のボトルに関し、下方に湾出する凸湾曲面からなる底部により揺動するスイングボトルにおいて、容器がスイングしたときに、底部に設けられるナーリングにより雑音が発生することを防止する。【解決手段】本発明のナーリングボトル１００は、凸湾曲面からなる底部外面１１に設けたナーリング６が、底部外面１１の傾斜方向に沿って、底面視における径方向外方へ放射状に延出する２種類の傾斜方向線６１，６２と、底点１１aを中心とする同心円状に設けられるとともに底部外面１１の傾斜方向に垂直に交わる２種類の傾動抑制線６３,６４を備える。【選択図】図１
2019199265.tif 000002
【特許請求の範囲】
【請求項１】
下方に突出する凸湾曲面からなる底部外面を水平面上で転動させることにより揺動可能に構成されたスイングボトルであって、
前記底部外面に複数の凸条からなるナーリングを備え、
前記ナーリングは、前記底部外面の傾斜方向に沿って延びる傾斜方向線を有することを特徴とするスイングボトル。
【請求項２】
前記底部外面の水平断面が環状をなし、前記傾斜方向線が、底面視で放射状に延びる複数の放射状線を含む請求項１に記載のスイングボトル。
【請求項３】
底部を下にして水平面に載置した際に、前記傾斜方向線の少なくとも一部が前記水平面に当接するよう設けられている請求項１、又は請求項２に記載のスイングボトル。
【請求項４】
前記ナーリングは、前記傾斜方向と交差する傾動抑制線を有する請求項１から請求項３のいずれか１項に記載のスイングボトル。
【発明の詳細な説明】
【技術分野】
【０００１】
この発明は、底部にナーリングを備えたガラス製のボトルに関し、特に底部が下方へ突出する凸湾曲面からなるボトルに関する。
【背景技術】
【０００２】
先に、本発明者らは、底部を下方へ突出した球面状とすることで、起き上がり小法師のように、スイング可能に構成した食品用容器について、意匠登録出願を行っている。（特許文献１参照）
一般に、ガラス製容器の底部には、製造直後の高温状態でベルトコンベアー等の載置面に載置された際に、容器と載置面との温度差による容器の割れを防止するため、ナーリングと呼ばれると凸条が施されるところ、特許文献１にかかる食品用容器９００（図１３参照）では、球面状の底部９１に複数の同心円からなるナーリング９６が施されている。
【先行技術文献】
【特許文献】
【０００３】
【特許文献１】意匠登録第１５５５６７５号公報
【発明の概要】
【発明が解決しようとする課題】
【０００４】
しかし、特許文献１の食品用容器では、容器がスイングしたときにナーリングがゴロゴロと音を立てて煩わしいという課題がある。
本発明は、上記課題に鑑みてなされたものであり、スイングさせた際にナーリングによる音が発生しにくいスイングボトルの提供を目的とする。
【課題を解決するための手段】
【０００５】
上記課題を解決するためになされた発明は、下方に突出する凸湾曲面からなる底部外面を水平面上で転動させることにより揺動可能に構成されたスイングボトルであって、前記底部外面に複数の凸条からなるナーリングを備え、前記ナーリングは、前記底部外面の傾斜方向に沿って延びる傾斜方向線を有することを特徴とする。
【０００６】
このように、凸湾曲面からなる底部外面に、その傾斜方向に沿った傾斜方向線を設けることで、スイングボトルが机上で揺動する際にナーリングと机面がぶつかることで発生する音を抑制することができる。
【０００７】
本発明のスイングボトルは、前記底部外面の水平断面が環状をなし、前記傾斜方向線が、底面視で放射状に延びる複数の放射状線を含むことが好ましい。このように、水平断面が円形や楕円形、多角形等の環状をなすような凸湾曲面により底部外面を構成することで底部外面が底面視における径方向の多様な方向に傾斜を有することとなるためスイングボトルを多様な方向へ揺動させることができる。併せて、傾斜方向線を複数の放射線状の凸条とすることでいずれの方向へ揺動する際もナーリングがこれを載せた平面にぶつかる音を抑制できる。
ここで、「水平断面」とは、当該スイングボトルを底部外面を下側にして水平面上に静置した状態における水平断面をいうものとする。
【０００８】
本発明のスイングボトルは、底部を下にして水平面に載置した際に、前記複数の傾斜方向線の少なくとも一部が前記水平面に当接するよう設けられていることが好ましい。こうすることで、スイングボトルの揺動によりナーリングから発生する音を、さらに効果的に抑制することができる。
【０００９】
前記ナーリングは、前記傾斜方向と交差する傾動抑制線を有することが好ましい。こうすることで、スイングボトルが過剰に揺動することを抑制できる。
【発明の効果】
【００１０】
以上説明したように、本発明のスイングボトルは、揺動する際にナーリングと当該スイングボトルを載置した面との衝突により発生する音を抑制することができる。
【図面の簡単な説明】
【００１１】
【図１】本発明の第１実施形態に係るスイングボトルの底部を示す斜視図である。
【図２】図１に示したスイングボトルの正面図であり、その背面図、左右の側面図も同様に表れる。
【図３】図１に示したスイングボトルの平面図である。
【図４】図１に示したスイングボトルの底面図である。
【図５】図２におけるＸ−Ｘ線断面図である。
【図６】図４におけるＹ−Ｙ線断面図である。
【図７】図５におけるＺ−Ｚ線部拡大図である。
【図８】本発明の第２実施形態に係るスイングボトルの底面図である。
【図９】本発明の第３実施形態に係るスイングボトルの底面図である。
【図１０】本発明の第４実施形態に係るスイングボトルの底面図である。
【図１１】本発明の第５実施形態に係るスイングボトルの底面図である。
【図１２】本発明の第６実施形態に係るスイングボトルの（ａ）斜視図、（ｂ）底面図である。
【図１３】公知のスイングボトルの底面を示す斜視図である。
【発明を実施するための形態】
【００１２】
以下、適宜図面を用いながら本発明の実施形態について詳述する。尚、本発明は、以下の実施形態に限られるものではない。
【００１３】
（第１実施形態）
図１は、本発明の第１実施形態に係るスイングボトル１００を示している。スイングボトル１００は、ガラスにより形成され、下方へ突出する凸湾曲面状の底部１と、上端に設けられる瓶口２と、底部１の上方に連続する胴部３と、胴部３と瓶口２の間に設けられる首部４とを備えている。
スイングボトル１００は、形成直後の高温状態（例えば、８００度Ｃ程度）のまま低温のベルトコンベアー等の上に載置された際の割れを防止するため、凸条からなるナーリング６が底部１の外面（底部外面）１１に設けられている。
スイングボトル１００は、胴部３を除き、底部１、瓶口２、及び首部４が、仮想の鉛直軸線Ａを軸とする回転体形状を有しており、以下、これらの回転体形状の径方向、及び周方向を、それぞれ単に「径方向」、「周方向」という。また、瓶口２側を上側、底部１側を下側という。
【００１４】
底部１は、図５に示すように、水平断面が、円環形をなし、図６に示すように、鉛直断面が、円弧状をなしている。底部１の周縁は、胴部３に倣って略正八角形をなしている。
【００１５】
胴部３は、図３、図４に示すように、水平断面が角丸の正八角形をなし、周方向に並ぶ８つの平面部３１，３１，…と、隣り合う平面部３１，３１の間に設けられる角丸部３２とからなる。
【００１６】
スイングボトル１００は、底部１を下にして水平面上に静置した際に、鉛直軸線Ａと底部外面の交点からなる底点１１ａを底部外面１１における最も低い位置にして静止する。
首部４は、図２に示すように、胴部３から瓶口２に向かって徐々に縮径するとともに、やや径方向内側に湾曲した円錐状をなし、下端が胴部３に倣って略正八角形に形成されている。瓶口２は、外形が首部４の上端よりやや大径に設けられた円環状をなしている。
【００１７】
底部外面１１は、底点１１ａから径方向外側に向かって傾斜する球面状をなし、ナーリング６は、図４に示すように、底点１１ａを中心として、この底部外面１１の傾斜方向に沿って、底面視における径方向外方へ放射状に延出する２種類の傾斜方向線６１，６２と、底点１１ａを中心とする同心円状に設けられるとともに底部外面１１の傾斜方向に垂直に交わる２種類の傾動抑制線６３，６４とを備えている。
【００１８】
傾斜方向線６１は、傾斜方向線６２より長く、傾斜方向線６１と傾斜方向線６２は、周方向に、交互にかつ等角度間隔で、それぞれ複数本（図示の例では１６本ずつ）が設けられている。傾斜方向線６１，６２の上側の端点６１ａ，６２ａが同じ高さに設けられ、底面視で同一円周上に並べられる一方で、傾斜方向線６１の下側の端点６２ｂは、傾斜方向線６２の下側の端点６１ｂより高い位置に設けられている。
【００１９】
傾動抑制線６３は、傾動抑制線６４よりも小径の円環形をなし、径方向の外側から傾斜方向線６１の下側の端点６１ｂが当接している。傾動抑制線６４は、傾動抑制線６３よりも大径の円環形をなし、傾斜方向線６１と交差し、傾斜方向線６２とは交差しないよう設けられている。傾動抑制線６３は、スイングボトル１００を底部１を下側にして水平面上に静置した際に、全周に亘り同じ高さの位置の点を通るように、換言すると、全周が同一水平面上に位置するよう設けられている。
【００２０】
ナーリング６は、図７に示すように、半球状の断面を有し、端点を除き、全ての部分で底部外面１１からの突出高さが略同じに設けられるとともに、水平面上でスイングボトル１００をいずれの方向に揺動させても底部外面１１が水平面に当接することが無いよう構成されている。
【００２１】
スイングボトル１００は、テーブルの上面等の水平面に載置すると、円環状の傾動抑制線６３が水平面に当接して静止する。スイングボトル１００を傾けると、ナーリング６と水平面との当接箇所は、傾動抑制線６３から傾斜方向線６１に移動する。この際、傾動抑制線６３と傾斜方向線６１は、底部外面１１からの突出高さが同じに設けられているのでスイングボトル１００を傾けることにより水平面上で発生する音が抑制される。
【００２２】
続けて、スイングボトル１００を傾けていくと、スイングボトル１００と水平面との当接箇所が傾動抑制線６３と傾動抑制線６４の間にあるうちは、隣接する２本の傾斜方向線６１，６１が同時に水平面に当接しながら、その当接箇所は、径方向の外側へ移動する。さらにスイングボトル１００を傾けていくと、ナーリング６と水平面との当接箇所は、傾動抑制線６４を超えて、その外側へ移動し、傾斜方向線６２の下側の端点６２ｂに達する。以後、隣り合う２種の傾斜方向線６１，６２が水平面に同時に当接することとなる。
【００２３】
ここで、傾斜方向線６１，６２、及び傾動抑制線６４は、同じ突出高さを有するので、ナーリング６と水平面との当接箇所が傾動抑制線６４を乗り越える際にも、スイングボトル１００を傾けることにより水平面上で発生する音を抑制できる。
また、スイングボトル１００の傾動は、傾動抑制線６３，６４の他に傾斜方向線６２の下側の端点６２ｂによっても抑制される。
【００２４】
さらに、傾動抑制線６４の内側が水平面に当接する間は、隣り合う２本の傾斜方向線６１によりスイングボトル１００が支持されるのに対し、傾動抑制線６４の外側が水平面に当接する間は、隣り合う傾斜方向線６２と傾斜方向線６２によりスイングボトル１００が支持されることとなるため、スイングボトル１００が傾動して、当接箇所が傾動抑制線６４の内側から外側へ移動する際には、スイングボトル１００が、傾斜方向線６１と傾斜方向線６２のなす角度の半分だけ周方向に回転する。
【００２５】
（第２実施形態）
次に、本発明の第２実施形態に係るスイングボトル２００について説明する。ただし、第２実施形態以降の実施形態において、先に説明した実施形態と同じ部材は同一符号を付して説明を省略する。スイングボトル２００のナーリング２０６は、図８に示すように、第１実施形態と同じ傾斜方向線６２と、底点２１１ａで交差する複数本（図示の例では８本）の傾斜方向線２６１のみからなり、傾動抑制線を備えない。本実施形態の底点２１１ａは、傾斜方向線２６１が交わることにより形成される円形の凸部２６５上に位置する。
【００２６】
（第３実施形態）
第３実施形態に係るスイングボトル３００のナーリング３０６は、図９に示すように、複数本（図示の例では８本）の傾斜方向線２６１のみからなる。
【００２７】
（第４実施形態）
第４実施形態に係るスイングボトル４００のナーリング４０６は、図１０に示すように、第１実施形態と同じ傾斜方向線６１のみからなる。この傾斜方向線６１の下側の端点６１ｂ近傍は、スイングボトル４００を水平面上に静置した際に、底部外面１１の下敷きになって水平面に当接するよう設けられている。また端点６１ｂは、スイングボトル４００の傾斜を抑制する効果を有すると同時に、円形に並ぶことで、スイングボトル４００を安定的に支持している。
【００２８】
（第５実施形態）
第５実施形態に係るスイングボトル５００のナーリング５０６は、図１１に示すように、第１実施形態と同じ複数本（図示の例では１６本）の傾斜方向線６１と同数の傾斜方向線６２のみからなる。
【００２９】
（第６実施形態）
図１２は、本発明の第６実施形態に係るスイングボトル６００を示している。スイングボトル６００は、下方に湾凸する底部６０１と、正面視扇型の胴部６０３と円筒状の首部６０４と、円環形の瓶口６０２とを備えている。
【００３０】
底部６０１は、その外面（底部外面）６１１に、ナーリング６０６を有している。底部外面６１１は、底面視で長方形状をなすとともに、正面視で円弧状をなしており、ナーリング６０６は、底部外面の傾斜方向に沿った複数本（図示の例では、４本）の傾斜方向線６６１と、傾斜方向線６６１と直角に交差する傾動抑制線６６３を有している。傾動抑制線６６３は、スイングボトル６００を底部６０１を下側にして水平面上に静置した際に、全長に亘り同じ高さの位置の点を通るように、換言すると、同一水平面上に位置するように設けられている。
【００３１】
スイングボトル６００は、水平面上に載置した際に、２本の傾動抑制線６６３が、水平面に当接するよう設けられており、この２本の傾動抑制線６６３により、不用意に傾くことが抑制されている。ただし、傾動抑制線６６３は、水平面に当接しない高さに設けることもできる。
一方で、スイングボトル６００を底部６０１の湾曲形状に沿って、スイングさせる際には、傾動抑制線６６３と底部外面６１１からの突出高さを同じに設けた傾斜方向線６６１が、ナーリング６０６と水平面との当接箇所が、傾動抑制線６６３を乗り越えるのを助けるため、スイングボトル６００が揺動することにより水平面上での音の発生を抑制することができる。
【００３２】
以上、本発明のスイングボトルは、上記の実施形態に限られるものではなく、例えば、傾斜方向線、及び傾動抑制線は、仮想の線上に並んだ破線状に設けることもできる。また、傾動抑制線は、環状であれば円形に限らず、楕円形、多角形等であってもよい。ナーリングの断面は、半球状に限らず楕円弧状、多角形状等、各種の形状を適宜に採用できる。ナーリングを構成する複数の凸条の本数は、上記の実施形態に限らず適宜に変更できる。
傾動抑制線は、傾斜方向線と交差していればよく、スイングボトルを水平面上に静置した状態において水平面内に収まるよう設けられていなくともよい。
【符号の説明】
【００３３】
スイングボトル１００，２００，３００，４００，５００，６００
底部外面１１
ナーリング６
傾斜方向線（放射状線）６１，６２，２６１
傾動抑制線６３，６４，６６３
傾斜方向線６６１
【図１】
2019199265.tif 000003
【図２】
2019199265.tif 000004
【図３】
2019199265.tif 000005
【図４】
2019199265.tif 000006
【図５】
2019199265.tif 000007
【図６】
2019199265.tif 000008
【図７】
2019199265.tif 000009
【図８】
2019199265.tif 000010
【図９】
2019199265.tif 000011
【図１０】
2019199265.tif 000012
【図１１】
2019199265.tif 000013
【図１２】
2019199265.tif 000014
【図１３】
2019199265.tif 000015